(57)【要約】【課題】複数の通信回線に接続される情報処理装置が各通信回線で提供するサービス（機能）について、より容易にユーザが適切な設定を行えるようにする技術を提供する。【解決手段】情報処理装置（印刷装置）は、副回線で提供するサービスを限定する設定をユーザから受け付けるための設定画面（ＵＩ）を表示し（Ｓ１０１）、副回線で提供するサービスの設定をユーザから受け付ける（Ｓ１０２）。印刷装置は、副回線で提供するサービスを、設定画面を介してユーザから受け付けた設定に従って、印刷装置１００が提供可能な複数のサービスのうちの一部のサービスに限定する（Ｓ１０３，Ｓ１０４）。【選択図】図５
2019136971.tif 000002
【特許請求の範囲】
【請求項１】
通信回線を介して外部装置にサービスを提供する情報処理装置であって、
第１通信回線を介した通信を行う第１通信手段と、
前記第１通信回線と異なる第２通信回線を介した通信を行う第２通信手段と、
前記第２通信回線で提供するサービスを限定する設定をユーザから受け付けるためのユーザインタフェースを提供する提供手段と、
前記第２通信回線で提供するサービスを、前記ユーザインタフェースを介して受け付けた前記設定に従って、前記情報処理装置が提供可能な複数のサービスのうちの一部のサービスに限定する限定手段と、
を備えることを特徴とする情報処理装置。
【請求項２】
前記限定手段は、前記ユーザインタフェースを介して、前記第２通信回線で提供するサービスを限定する設定が行われていなければ、前記第２通信回線で提供するサービスを、前記第１通信回線で提供されるサービスと同じサービスに設定する
ことを特徴とする請求項１に記載の情報処理装置。
【請求項３】
前記限定手段は、前記第２通信回線で提供するサービスを、前記ユーザインタフェースを介して受け付けた前記設定に従って、特定のサービスに限定する
ことを特徴とする請求項１又は２に記載の情報処理装置。
【請求項４】
前記情報処理装置の操作部におけるユーザの操作に従って前記特定のサービスを設定する設定手段を更に備える
ことを特徴とする請求項３に記載の情報処理装置。
【請求項５】
前記情報処理装置は、印刷手段を備える印刷装置であり、
前記複数のサービスは、少なくとも印刷サービス及びファイル共有サービスを含み、
前記限定手段は、前記印刷サービスを前記第１通信回線、及び前記第２通信回線で提供し、前記ファイル共有サービスを前記第２通信回線で提供しないよう、前記第１通信回線、及び前記第２通信回線で提供するサービスを設定する
ことを特徴とする請求項１から４のいずれか１項に記載の情報処理装置。
【請求項６】
前記提供手段は、前記複数のサービスのうちで、前記第２通信回線で提供する１つ以上のサービスの選択を受け付けるためのユーザインタフェースを提供する
ことを特徴とする請求項１又は２に記載の情報処理装置。
【請求項７】
前記限定手段は、前記複数のサービスのうちで、前記情報処理装置において有効化されているサービスのみをユーザが選択可能なユーザインタフェースを提供する
ことを特徴とする請求項６に記載の情報処理装置。
【請求項８】
前記限定手段は、前記ユーザインタフェースを介して選択されたサービスのための専用線として前記第２通信回線が使用されるよう、前記第１通信回線、及び前記第２通信回線で提供するサービスを設定する
ことを特徴とする請求項６又は７に記載の情報処理装置。
【請求項９】
前記提供手段は、前記設定のための設定画面を前記情報処理装置の表示部に表示するか、又は、前記設定のための設定画面をウェブブラウザにより表示するための画面データを、前記第１通信回線、若しくは前記第２通信回線を介して外部装置へ提供する
を特徴とする請求項１から８のいずれか１項に記載の情報処理装置。
【請求項１０】
通信回線を介して外部装置にサービスを提供する情報処理装置の制御方法であって、
第１通信回線を介した通信を行う第１通信工程と、
前記第１通信回線と異なる第２通信回線を介した通信を行う第２通信工程と、
前記第２通信回線で提供するサービスを限定する設定をユーザから受け付けるためのユーザインタフェースを提供する提供工程と、
前記第２通信回線で提供するサービスを、前記ユーザインタフェースを介して受け付けた前記設定に従って、前記情報処理装置が提供可能な複数のサービスのうちの一部のサービスに限定する限定工程と、
を含むことを特徴とする情報処理装置の制御方法。
【請求項１１】
請求項１０に記載の情報処理装置の制御方法の各工程を、コンピュータに実行させるためのプログラム。
【発明の詳細な説明】
【技術分野】
【０００１】
本発明は、情報処理装置及びその制御方法、並びにプログラムに関するものである。
【背景技術】
【０００２】
印刷装置等の情報処理装置が複数の通信インタフェース（Ｉ／Ｆ）を備えて２つ以上のネットワーク上で動作する、「マルチホーム」と称される技術が知られている。マルチホーム環境に設置された情報処理装置は、接続された複数のネットワークに対してサービスを提供できる。そのため、サービスを提供する情報処理装置をネットワークごとに個別に設置することを必要とせずに、１台の情報処理装置を用いて複数のネットワークに対してサービスを提供できる。特許文献１では、マルチホーム環境に設置された印刷装置が、複数のネットワークに対して印刷等のサービスを提供する技術が提案されている。
【先行技術文献】
【特許文献】
【０００３】
【特許文献１】特開２００７−１９９８２７号公報
【発明の概要】
【発明が解決しようとする課題】
【０００４】
上述のようにマルチモーム環境に設置された情報処理装置では、接続された複数の通信回線（例えば、主回線及び副回線）が、それぞれ異なるポリシーで運用されることが一般的である。このような運用ポリシーに従って、例えば、主回線及び副回線の両方で印刷サービス（印刷機能）を提供する一方、ファイル共有サービス（ファイルサーバ機能）については主回線でのみで提供する設定が行われる。
【０００５】
しかし、上述のような設定は、ポートフィルタ機能等を利用して行われうるため、複雑なユーザ操作を伴うことが多い。ユーザによる誤設定が生じると、主回線でのみ提供すべきサービスが、副回線を通して外部装置によって利用されるといった、セキュリティ上の問題が生じる可能性がある。このため、情報処理装置が各通信回線で提供するサービス（機能）を、ユーザがより容易に設定できることが求められる。
【０００６】
本発明は、上述の問題に鑑みてなされたものである。本発明は、複数の通信回線に接続される情報処理装置が各通信回線で提供するサービス（機能）について、より容易にユーザが適切な設定を行えるようにする技術を提供することを目的とする。
【課題を解決するための手段】
【０００７】
本発明の一態様に係る情報処理装置は、通信回線を介して外部装置にサービスを提供する情報処理装置であって、第１通信回線を介した通信を行う第１通信手段と、前記第１通信回線と異なる第２通信回線を介した通信を行う第２通信手段と、前記第２通信回線で提供するサービスを限定する設定をユーザから受け付けるためのユーザインタフェースを提供する提供手段と、前記第２通信回線で提供するサービスを、前記ユーザインタフェースを介して受け付けた前記設定に従って、前記情報処理装置が提供可能な複数のサービスのうちの一部のサービスに限定する限定手段と、を備えることを特徴とする。
【発明の効果】
【０００８】
本発明によれば、複数の通信回線に接続される情報処理装置が各通信回線で提供するサービスについて、より容易にユーザが適切な設定を行うことが可能になる。
【図面の簡単な説明】
【０００９】
【図１】通信システムの構成例を示す図。
【図２】印刷装置のハードウェア構成例を示すブロック図。
【図３】印刷装置のソフトウェア構成例を示すブロック図。
【図４】印刷装置における副回線設定のための設定画面の例を示す図。
【図５】印刷装置における副回線設定の処理手順を示すフローチャート。
【図６】印刷装置における副回線設定のための設定画面の例を示す図。
【発明を実施するための形態】
【００１０】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１１】
［第１実施形態］
＜システム構成＞
図１は、第１実施形態に係る通信システムの構成例を示す図である。図１に示す通信システムにおいて、印刷装置１００は、有線ＬＡＮ（ローカルエリアネットワーク）１０１を介してＰＣ１０３と接続される。有線ＬＡＮ１０１は、例えば、イーサネット（登録商標）規格に準拠したネットワークである。また、印刷装置１００は、無線アクセスポイント１０２を介してＰＣ１０４と接続される。印刷装置１００は、ＰＣ１０３及びＰＣ１０４に対して、後述するように、各種サービスを提供する。本実施形態において、印刷装置１００は、通信回線を介して外部装置にサービスを提供する情報処理装置の一例である。
【００１２】
＜印刷装置のハードウェア構成＞
図２は、印刷装置１００のハードウェア構成例を示すブロック図である。印刷装置１００は、ＣＰＵ２０１、ＲＯＭ２０２、ＲＡＭ２０３、ＨＤＤ（ハードディスクドライブ）２０４、操作部２０５、プリンタ部２０６、有線ＬＡＮ Ｉ／Ｆ（インタフェース）２０７、及び無線ＬＡＮ Ｉ／Ｆ２０８を備える。印刷装置１００内のこれらのデバイスは、システムバス２００を介して接続され、相互にデータを交換できる。
【００１３】
ＣＰＵ２０１は、印刷装置１００全体の動作を制御する。ＣＰＵ２０１は、ＲＯＭ２０２に格納された制御プログラムを読み出して実行することにより、印刷制御等の各種制御を行う。ＲＡＭ２０３は、ＣＰＵ２０１のワークエリア等として使用される揮発性メモリである。ＨＤＤ２０４は、画像データや設定データ等の各種データ、及び各種プログラムが格納される記憶装置である。操作部２０５は、タッチパネル機能を有するディスプレイ（表示部）を備える。ユーザは、ディスプレイに表示される操作画面に従って、操作部２０５を介して印刷装置１００に対して指示及び情報を入力できる。プリンタ部２０６は、システムバス２００を介して転送された画像データに基づいてシートに画像を印刷する。
【００１４】
印刷装置１００は、それぞれ異なる通信回線を介した通信を行う複数の通信Ｉ／Ｆを備え、これにより２つ以上のネットワーク上で動作する。本実施形態では、印刷装置１００が有線ＬＡＮ Ｉ／Ｆ２０７及び無線ＬＡＮ Ｉ／Ｆ２０８を備える例について説明するが、印刷装置１００が備える通信Ｉ／Ｆの組み合わせはこれに限られない。例えば、印刷装置１００は、いずれかのタイプの通信Ｉ／Ｆ（有線ＬＡＮ Ｉ／Ｆ又は無線ＬＡＮ Ｉ／Ｆ）を複数備えてもよい。また、通信Ｉ／Ｆは、物理的なＩ／Ｆに限らず、ソフトウェアレベルで実現される仮想Ｉ／Ｆのような論理的なＩ／Ｆを用いて実現されてもよい。
【００１５】
本実施形態では、印刷装置１００は、使用する複数の通信回線のうち、有線ＬＡＮ Ｉ／Ｆ２０７が接続される通信回線を主回線（第１通信回線）、無線ＬＡＮ Ｉ／Ｆ２０８が接続される通信回線を副回線（第２通信回線）として使用する。即ち、有線ＬＡＮ Ｉ／Ｆ２０７は、第１通信回線を介した通信を行う第１通信手段の一例として機能し、無線ＬＡＮ Ｉ／Ｆ２０８は、第１通信回線と異なる第２通信回線を介した通信を行う第２通信手段の一例として機能する。
【００１６】
有線ＬＡＮ Ｉ／Ｆ２０７は、有線ＬＡＮ１０１に接続され、有線ＬＡＮ１０１を介して、ＰＣ１０３等の外部装置と通信可能である。無線ＬＡＮ Ｉ／Ｆ２０８は、ＩＥＥＥ８０２．１１ａ／ｂ／ｇ／ｎ／ａｃ等の無線ＬＡＮ規格に準拠した無線通信を行う。本実施形態では、無線ＬＡＮ Ｉ／Ｆ２０８は、無線ＬＡＮ規格に準拠した無線アクセスポイント１０２に無線接続を行い、無線アクセスポイント１０２を介して、ＰＣ１０４等の外部装置と通信可能である。印刷装置１００は、外部装置との通信により、外部装置から印刷指示や設定指示等の各種指示を受け取ることができる。
【００１７】
＜印刷装置のソフトウェア構成＞
図３は、印刷装置１００のソフトウェア構成例を示すブロック図である。図３に示すＣＰＵ２０１上の各機能部は、ＲＯＭ２０２又はＨＤＤ２０４に格納されている制御プログラムをＣＰＵ２０１が読み出して実行することにより、ＣＰＵ２０１上で実現される。印刷装置１００は、ＣＰＵ２０１上で実現される機能部として、パネル制御部３０１、データ管理部３０２、通信処理部３０３、及びサービス処理部３０４を有する。なお、パネル制御部３０１、データ管理部３０２、通信処理部３０３、及びサービス処理部３０４の少なくとも１つが、ＡＳＩＣやＦＰＧＡ等のハードウェア回路を用いて実現されてもよい。なお、ＡＳＩＣは、Ａｐｐｌｉｃａｔｉｏｎ Ｓｐｅｃｉｆｉｃ Ｉｎｔｅｇｒａｔｅｄ Ｃｉｒｃｕｉｔの略である。また、ＦＰＧＡは、Ｆｉｅｌｄ-Ｐｒｏｇｒａｍｍａｂｌｅ Ｇａｔｅ Ａｒｒａｙの略である。
【００１８】
パネル制御部３０１は、操作部２０５に対する入出力を処理する。例えば、パネル制御部３０１は、操作部２０５から受信した、各通信Ｉ／Ｆについての設定情報を、データ管理部３０２に出力することで、当該設定情報をＨＤＤ２０４等の記憶装置へ格納させる。また、パネル制御部３０１は、データ管理部３０２から取得した画面データに基づいて操作部２０５に画面を表示する処理、及び操作部２０５から受信したイベント情報を各機能部へ通知する処理を行う。データ管理部３０２は、各機能部からの要求に従って、ＲＯＭ２０２又はＨＤＤ２０４等の記憶装置に対する入出力を処理する。
【００１９】
通信処理部３０３は、有線ＬＡＮ Ｉ／Ｆ２０７及び無線ＬＡＮ Ｉ／Ｆ２０８を制御することにより、有線ＬＡＮ１０１又は無線アクセスポイント１０２を介した外部装置との通信を制御する。例えば、通信処理部３０３は、ＰＣ１０３又はＰＣ１０４とのコネクションを確立してデータの送受信を行う。また、通信処理部３０３は、データ管理部３０２を用いて、各通信Ｉ／Ｆについての設定情報を記憶装置から読み出し、読み出した設定情報に基づいて設定を実行する。
【００２０】
サービス処理部３０４は、印刷装置１００が提供する各種サービスを実現する。本実施形態では、図３に示すように、印刷装置１００は、印刷サービス３０５、設定管理サービス３０６、ファイル共有サービス３０７、及び消耗品管理サービス３０８を提供する。なお、図３に示すサービスは一例であり、印刷装置１００は、図３に示すサービス以外のサービスを提供してもよい。
【００２１】
印刷サービス３０５は、ＬＰＤ（Line Printer Daemon）といったプリンタ制御プロトコルを用いて、印刷機能を提供する。印刷サービス３０５は、外部装置による印刷指示を、通信処理部３０３を介して受信し、印刷指示に含まれる印刷データをデータ管理部３０２によりＨＤＤ２０４へ保存する。また、印刷サービス３０５は、ＨＤＤ２０４に保存されている印刷データを読み出して、当該印刷データに基づいてプリンタ部２０６に印刷処理を実行させる。
【００２２】
設定管理サービス３０６は、ＳＮＭＰ（Simple Network Management Protocol）等の、機器管理用の通信プロトコルを用いて、印刷装置１００の設定情報の入出力機能を外部装置に対して提供する。設定管理サービス３０６は、外部装置による印刷装置１００の設定情報についての書込要求又は取得要求を、通信処理部３０３を介して受信する。更に、設定管理サービス３０６は、受信した要求の内容を解釈し、ＨＤＤ２０４等の記憶装置に保存されている印刷装置１００の設定データに対して、データ管理部３０２を介して読み書きを実行する。例えば、設定管理サービス３０６は、設定情報の取得要求を受信した場合には、データ管理部３０２を介して取得した設定情報を含む応答を、要求元の外部装置へ送信する。
【００２３】
ファイル共有サービス３０７は、ＳＭＢ（Service Message Block）等のファイル共有プロトコルを用いて、外部装置とのファイル共有機能を提供する。消耗品管理サービス３０８は、消耗品に関する情報を、ＨＴＴＰ（Hypertext Transfer Protocol）等のコンテンツ転送用プロトコルを用いて、外部装置へ送信する機能を提供する。消耗品に関する情報は、例えば、プリンタ部２０６で印刷処理に用いられるトナー等の消耗品の残量を示す情報である。
【００２４】
＜設定画面の例＞
図４は、操作部２０５に表示され、印刷装置１００のユーザインタフェース（ＵＩ）として機能する操作画面の例を示す図である。なお、外部装置においてウェブブラウザを用いて表示及び操作可能なウェブ形式の画面に対応する画面データを、有線又は無線ネットワークを介して提供することにより、外部装置に対してＵＩを提供してもよい。
【００２５】
ここでは、ユーザが、印刷装置１００のネットワーク設定として副回線の設定を行う場合について説明する。ＣＰＵ２０１は、操作部２０５におけるユーザの操作に従って、図４（Ａ）に示す設定画面４００を操作部２０５に表示する。設定画面４００は、印刷装置１００における通信処理部３０３による通信機能に関連するネットワーク設定のための操作画面である。ユーザは、設定画面４００において、選択ボタン４０１を押下することにより、設定項目として副回線の設定を選択することが可能である。
【００２６】
設定画面４００において選択ボタン４０１が押下されると、ＣＰＵ２０１は、図４（Ｂ）に示す設定画面４１０を操作部２０５に表示する。設定画面４１０は、印刷装置１００の副回線に関する設定項目を選択するための操作画面である。ユーザは、設定画面４１０において、選択ボタン４１１を押下することにより、副回線の機能（副回線で提供するサービス）の設定を選択することが可能である。
【００２７】
本実施形態では、設定画面４１０において選択ボタン４１１が押下されると、ＣＰＵ２０１は、図４（Ｃ）に示す設定ウィンドウ４２０を、操作部２０５にポップアップで表示する。設定ウィンドウ４２０は、印刷装置１００が副回線で提供する機能（サービス）を特定の機能に限定するか否かを設定できる。ユーザは、設定ウィンドウ４２０において設定ボタン４２１を選択することにより、印刷装置１００が副回線で提供する機能を特定の機能に限定することを設定できる。
【００２８】
設定ボタン４２１が選択されずにＯＫボタンが押下された場合、印刷装置１００は、副回線で提供する機能を特定の機能に限定せずに動作する。即ち、ＣＰＵ２０１は、サービス処理部３０４が提供する複数のサービスのうち、主回線（第１通信回線）で提供されるサービスを副回線（第２通信回線）においても提供する。一方、設定ボタン４２１が選択されてＯＫボタンが押下された場合、ＣＰＵ２０１は、副回線で提供する機能を特定の機能のみに限定して動作する。
【００２９】
例えば、印刷装置１００は、主回線において、図３に示す（印刷サービス３０５から消耗品管理サービス３０８までの）全てのサービスを使用可能にする。その一方で、印刷装置１００は、副回線においては、印刷サービス３０５、設定管理サービス３０６、及び消耗品管理サービス３０８のみに限定して使用可能にする。即ち、印刷装置１００は、副回線において、ファイル共有サービス３０７の提供を停止することで、ファイル共有サービス３０７を使用できないようにする。
【００３０】
なお、設定ボタン４２１が選択された場合に副回線で提供する特定の機能（サービス）は、ユーザの操作に従って変更可能であってもよい。その場合、ＣＰＵ２０１は、副回線で提供するサービスの変更を受け付けるための設定画面を、ユーザの操作に従って操作部２０５に表示し、変更操作を受け付けてもよい。即ち、ＣＰＵ２０１は、操作部２０５におけるユーザの操作に従って、上述の特定のサービスを設定してもよい。
【００３１】
＜処理手順＞
本実施形態の印刷装置１００において、ＣＰＵ２０１は、副回線で提供するサービスを限定する設定をユーザから受け付けるためのＵＩを提供する。本実施形態では、このＵＩは、図４に示すような設定画面を操作部２０５に表示することによって、印刷装置１００において提供される。なお、設定画面をウェブブラウザにより表示するための画面データを、主回線又は副回線を介して外部装置へ提供することによって、外部装置へＵＩが提供されてもよい。その場合、ＣＰＵ２０１は、提供したＵＩを介して外部装置で受け付けたデータを、主回線又は副回線を介して当該外部装置から受信する。
【００３２】
ＣＰＵ２０１は、副回線で提供するサービスを、上述のようなＵＩを介してユーザから受け付けた設定に従って、印刷装置１００が提供可能な複数のサービスのうちの一部のサービスに限定する。このような処理により、複数の通信回線に接続される印刷装置１００が各通信回線で提供するサービスについて、より容易にユーザが適切な設定を行えるようにする。
【００３３】
図５は、印刷装置１００における副回線設定の処理手順を示すフローチャートである。図５の各ステップの処理は、ＲＯＭ２０２又はＨＤＤ２０４に格納されている制御プログラムをＣＰＵ２０１が読み出して実行することにより、印刷装置１００において実現されうる。
【００３４】
Ｓ１０１で、ＣＰＵ２０１は、副回線設定のための設定画面（図４）を、副回線で提供するサービスを限定する設定をユーザから受け付けるためのＵＩとして操作部２０５に表示する。設定画面の表示後、Ｓ１０２で、ＣＰＵ２０１は、操作部２０５に表示した操作画面においてユーザの操作を受け付けることによって、副回線で提供するサービスの設定を受け付ける。
【００３５】
次にＳ１０３で、ＣＰＵ２０１は、設定画面を介して受け付けた設定に従って、副回線で提供するサービスを限定するか否かを判定する。ＣＰＵ２０１は、例えば、設定ウィンドウ４２０において設定ボタン４２１が選択された場合、Ｓ１０４へ処理を進め、副回線で提供するサービスを限定する設定を実行する。具体的には、ＣＰＵ２０１は、副回線で提供するサービスを、特定のサービス（例えば、印刷サービス３０５）に限定する設定を実行する。例えば、ＣＰＵ２０１は、印刷サービス３０５を主回線及び副回線で提供し、ファイル共有サービス３０７を副回線で提供しないよう、主回線及び副回線で提供するサービスを設定する。これにより、ＣＰＵ２０１は、副回線において限定されたサービスの提供を開始する。
【００３６】
一方、ＣＰＵ２０１は、設定画面を介して、副回線で提供するサービスを限定する設定が行われていなければ（例えば、設定ボタン４２１が選択されることなく副回線設定が終了した場合）、Ｓ１０３からＳ１０５へ処理を進める。Ｓ１０５で、ＣＰＵ２０１は、主回線で提供されるサービスと同じサービスを副回線で提供する設定を実行する。これにより、ＣＰＵ２０１は、副回線において、主回線と同じサービスの提供を開始する。Ｓ１０４又はＳ１０５の設定が完了すると、ＣＰＵ２０１は、副回線設定を終了する。
【００３７】
以上説明したように、本実施形態の印刷装置１００は、副回線（第２通信回線）で提供するサービスを限定する設定を受け付けるためのＵＩをユーザに提供し、当該ＵＩを介して受け付けた設定に従って、副回線設定を行う。このため、ユーザは、複数の通信回線に接続される（即ち、マルチホーム環境に設置される）印刷装置１００が各通信回線で提供するサービスを、複雑な操作を必要とせずに設定することが可能になる。したがって、印刷装置１００が各通信回線で提供するサービスを、ユーザがより容易かつ適切に設定することが可能になる。
【００３８】
［第２実施形態］
第２実施形態では、印刷装置１００が副回線で提供する機能をユーザが任意に選択できるようにする例について説明する。なお、以下では、第１実施形態と相違する点について説明する。
【００３９】
図６は、操作部２０５に表示され、印刷装置１００のＵＩとして機能する操作画面の例を示す図である。なお、操作部２０５に表示される操作画面に限らず、外部装置においてウェブブラウザを用いて表示及び操作可能なウェブ形式のＵＩが、有線又は無線ネットワークを介して提供されてもよい。
【００４０】
本実施形態では、図４（Ａ）の設定画面４００において選択ボタン４０１が押下されると、ＣＰＵ２０１は、図６（Ａ）に示す設定画面６００を操作部２０５に表示する。設定画面６００において、副回線の専用線設定を選択するための選択ボタン６０１が押下された場合、ＣＰＵ２０１は、図６（Ｂ）に示す設定画面６１０を操作部２０５に表示する。一方、設定画面６００において、副回線の機能設定を選択するための選択ボタン６０２が押下された場合、ＣＰＵ２０１は、図６（Ｃ）に示す設定画面６２０を操作部２０５に表示する。このようにして、ＣＰＵ２０１は、副回線で提供する１つ以上のサービスの選択を受け付けるためのＵＩとして、設定画面６１０又は６２０をユーザに提供する。
【００４１】
図６（Ｂ）に示す設定画面６１０は、特定の機能（サービス）を提供するための専用線として副回線を使用する設定を行うための操作画面である。ユーザは、設定画面６１０に設けられたプルダウンメニュー６１１を用いて、印刷装置１００が副回線で提供するサービスを選択することが可能である。ユーザは、プルダウンメニュー６１１から任意のサービスを選択することで、印刷装置１００において副回線で提供するサービスを選択することができる。例えば、プルダウンメニュー６１１により印刷サービスが選択された場合には、印刷装置１００は、副回線において印刷サービス３０５のみを提供する。プルダウンメニュー６１１により「設定なし」が選択された場合には、印刷装置１００は、主回線と同じサービスを副回線においても提供する。
【００４２】
なお、プルダウンメニュー６１１に表示されるサービスの設定が無効である場合には、当該サービスを選択できないように、当該サービスが非表示又はグレーアウトされた状態でプルダウンメニュー６１１が表示されてもよい。即ち、印刷装置１００において有効化されているサービスのみが、プルダウンメニュー６１１において選択可能に表示されてもよい。また、プルダウンメニュー６１１に代えて、設定画面６１０内にサービスの一覧が表示され、いずれかのサービスを選択可能であってもよい。
【００４３】
設定画面６１０を用いた設定を受け付けた場合、ＣＰＵ２０１は、プルダウンメニュー６１１を介して選択されたサービスのための専用線として副回線が使用されるよう、主回線及び副回線で提供するサービスを設定する。
【００４４】
図６（Ｃ）に示す設定画面６２０は、副回線で提供する複数の機能（サービス）をユーザが任意に設定するための画面である。ユーザは、設定画面６２０に設けられた、各サービスに対応する設定ボタン６２１〜６２４を用いて、任意の１つ以上のサービスを指定することが可能である。図６（Ｃ）では、一例として、設定ボタン６２１，６２３により、印刷サービス３０５及びファイル共有サービス３０７が、副回線で提供するサービスとして指定された例を示している。
【００４５】
なお、設定ボタン６２１〜６２４に対応するサービスの設定が無効である場合には、当該サービスを選択できないように、当該サービスに対応する設定ボタンが非表示又はグレーアウトされもよい。即ち、印刷装置１００において有効化されているサービスのみが選択可能になるように、設定ボタン６２１〜６２４の表示が制御されてもよい。
【００４６】
設定画面６２０を用いた設定を受け付けた場合、ＣＰＵ２０１は、設定ボタン６２１〜６２４を用いて選択された１つ以上のサービスを副回線で提供するように、主回線及び副回線で提供するサービスを設定する。
【００４７】
以上説明したように、本実施形態によれば、第１実施形態と同様、ユーザは、複数の通信回線に接続される（即ち、マルチホーム環境に設置される）印刷装置１００が各通信回線で提供するサービスを、複雑な操作を必要とせずに設定することが可能になる。したがって、印刷装置１００が各通信回線で提供するサービスを、ユーザがより容易かつ適切に設定することが可能になる。
【００４８】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４９】
１００：印刷装置、１０１：有線ＬＡＮ、１０２：無線アクセスポイント、１０３：ＰＣ、１０４：ＰＣ、２０１：ＣＰＵ、２０５：操作部、２０６：プリンタ部、２０７：有線ＬＡＮ Ｉ／Ｆ、２０８：無線ＬＡＮ Ｉ／Ｆ
【図１】
2019136971.tif 000003
【図２】
2019136971.tif 000004
【図３】
2019136971.tif 000005
【図４】
2019136971.tif 000006
【図５】
2019136971.tif 000007
【図６】
2019136971.tif 000008